(57)【要約】【課題】従来の付けまつ毛は熟練しないと装着しにくく、装着に時間がかかり、装着できても傾いたり、位置ずれしたりし易い。【解決手段】本発明の付けまつ毛は、まぶたに貼り付けることのできるフィルムにまつ毛をフィルム表面に突出させて植毛し、フィルムのまつ毛植毛部の上方に二重まぶた成形部を設け、二重まぶた成形部はまぶたに貼り付けるとまぶたが二重まぶたになる縦幅と横幅にし、フィルム裏面にフィルムをまぶたに付着できる粘着剤を付着した。粘着剤の裏側に剥離シートを設けておき、その剥離シートを剥がすとそのまままぶたに貼ることができるようにした。フィルム又は／及び剥離シートに切り取り線を表示してその切り取り線を目安にして使用者のまぶたの形状に近い形状に切断し易くした。フィルムを無色透明又は着色した。【選択図】図１
2008308806.tif 000002
【特許請求の範囲】
【請求項１】
まぶたに貼り付けることのできるフィルムにまつ毛がフィルム表面に突出して植毛され、フィルムのまつ毛植毛部の上方に二重まぶた成形部があり、二重まぶた成形部はまぶたに貼り付けるとまぶたが二重まぶたになる縦幅と横幅であり、フィルム裏面にフィルムをまぶたに付着できる粘着剤が付着されたことを特徴とする付けまつ毛。
【請求項２】
請求項１記載の付けまつ毛において、フィルム裏面の粘着剤の裏側に剥離シートが貼り付けられていることを特徴とする付けまつ毛。
【請求項３】
請求項１又は請求項２記載の付けまつ毛において、使用者のまぶたの形状に合わせて切断する切り取り線がフィルム又は／及び剥離シートに表示されていることを特徴とする付けまつ毛。
【請求項４】
請求項１ないし請求項３のいずれかに記載の付けまつ毛において、フィルムが無色透明又は着色されていることを特徴とする付けまつ毛。
【発明の詳細な説明】
【技術分野】
【０００１】
本発明は付けまつ毛に関し、まぶたに付着すると付けまつげ毛となり、まぶたが自動的に二重まぶたになるようにしたものである。
【背景技術】
【０００２】
従来の付けまつ毛は図８に示すように細長い太い糸状のベースＡに多数本のまつ毛Ｂが接着されたものが一般的である。
【発明の開示】
【発明が解決しようとする課題】
【０００３】
従来の付けまつ毛は熟練しないと装着しにくく、装着に時間がかかるとか、装着できても傾いたり、位置ずれしたりし易いという課題があった。
【課題を解決するための手段】
【０００４】
本発明の付けまつ毛はまぶたに手軽に装着でき、装着するとまぶたが自動的に二重まぶたになるようにしたものであり、そのため本発明では、まぶたに貼り付けることのできるフィルムにまつ毛をフィルム表面に突出させて植毛し、フィルムのまつ毛植毛部の上方に二重まぶた成形部を設け、二重まぶた成形部はまぶたに貼り付けるとまぶたが二重まぶたになる縦幅と横幅にし、フィルム裏面にフィルムをまぶたに付着できる粘着剤を付着した。粘着剤の裏側に剥離シートを設けておき、その剥離シートを剥がすとそのまままぶたに貼ることができるようにした。フィルム又は／及び剥離シートに切り取り線を表示してその切り取り線を目安にして使用者のまぶたの形状に近い形状に切断し易くした。フィルムを無色透明又は着色した。
【発明の効果】
【０００５】
本発明の付けまつ毛は次のような効果がある。
１．フィルムに二重まぶたを成形できる縦幅と横幅の二重まぶた成形部を設けたので、二重まぶた成形部をまぶたに貼り付けると、まぶたの貼り付け部分が窪んで自動的に二重まぶたなる。
２．二重まぶた成形部をまぶたに貼り付けるだけで付けまつ毛を装着できるので、装着が簡易である。
３．フィルムにまつ毛があるため、フィルムの二重まぶた成形部が不用意に曲がったり、へたったりしにくくなって形状が安定し、指先で持ちやすく、まつ毛の位置決め、貼り付けが容易になる。
４．フィルム裏面に粘着剤を付着させてあるので、別途接着剤を用意する必要がなく便利である。
５．粘着剤の裏側に剥離シートがあるため粘着剤に塵芥が蓋付着せず、粘着力も低下しにくくなり、剥離シートを剥がしてまぶたに確実に貼ることができ、貼り付け後は不用意に剥がれたり、皺が寄ったりし難く、長期間は貼り付け時の常態に保持できる。
６．フィルム又は剥離シートに切り取り線を表示してあるので、フィルム又は／及び剥離シートを切り取り線に沿って切断して使用者のまぶたの形状に合った形状にできるため貼り易く、貼り付け後の違和感がない。
７．フィルムが無色透明の場合は、フィルムをまぶたに貼り付けても目立たず、見た目の違和感がない。
８．フィルムが着色の場合は着色部分をアイラインとすることもできる。
【発明を実施するための最良の形態】
【０００６】
（実施形態１）
本発明の付けまつ毛の実施形態の一例を図面に基づいて説明する。図１に示した付けまつ毛は円弧状（三日月形）のフィルム１に天然の又は人工のまつ毛２が多数本植毛されている。
【０００７】
フィルム１はまぶたに貼っても違和感がない程度に薄いフィルム、例えば厚さ数ミクロン〜数十ミクロン程度のフィルム１が使用される。フィルム１のまつ毛植毛部の上部に二重まぶた成形部３が形成されている。二重まぶた成形部３は図３（ａ）のまぶた４に図３（ｂ）のように貼ることによりまぶた４が自動的に二重まぶたになる縦幅と横幅にしてある。二重まぶた成形部３の形状、縦幅と横幅寸法により二重まぶたの形状が変わる。縦幅を広くすると縦に広い二重まぶた、縦幅を狭く（細く）すると縦に狭い（細い）二重まぶたになり、横幅を長くすると横長の二重まぶた、短くすると横に短い二重まぶたになるため、各種形状、寸法の二重まぶた成形部３を用意してユーザーの要求に対応できるようにしておくのが望ましい。
【０００８】
フィルム１は多少伸縮性のあるものがまぶたになじみ易く使い勝手の面から好ましい。フィルム１は人の皮膚の構造、伸縮性、色、強度に近い材質のものが適し、例えば、ポリウレタンフィルムとか他の樹脂フィルムを使用することができる。フィルム１の強度は植毛のために毛を刺したり、植毛のための孔をあけたりしても変形したり破損したりしない機械的強度があり、粘着剤が付着しても変形、溶解などしない化学的強度のあるものがよい。
【０００９】
まつ毛２には天然の又は人工の毛が使用され、それがフィルム１の横幅方向に多数本植毛されている。多数本のまつ毛２はフィルム１の横幅方向両端側を短く、中央部分を長くし、先端側を上向きに湾曲（カール）させてある。まつ毛２はそのカール形状が長期間保持されるように加工、処理しておくのがよい。フィルム１に植毛するまつ毛２は太さ、長さ、硬さ（剛性）、カールの度合い、植毛本数、間隔等の異なるものを各種用意しておくのがよい。これらは女性用、男性用、子供用、年配者用といったように各種用意することもできる。まつ毛２は人工繊維を使用する場合は加工した形状を保持しやすい材質、たとえば、ポリエステル繊維、アクリル繊維とか他の材質のものを使用することができる。
【００１０】
フィルム１へのまつ毛２の植毛方法は接着剤による植毛、縫い付けによる植毛等の任意手段とすることができる。縫い付け植毛の一例としては図４に示すようにフィルム１の植毛位置に予め微細孔５をあけておき、その微細孔５にフィルム１の表面から裏面にまつ毛２を貫通させ、そのまつ毛２を裏面から表面に引き出してフィルム１の表面に突出させるとか、２つ折りのまつ毛２を微細孔５にフィルム１の裏面から表面に向けて差し込んで表面に突出させ、そのまつ毛２をフィルム１の裏側に粘着剤や接着剤（以下これらを「粘着剤」という。）６（図４）で固定する方法がある。微細孔５の数、間隔、径等は植毛本数、植毛間隔、まつ毛の太さに合わせて選択する。微細孔５の寸法はまつ毛２を一本ずつ、或いは数本まとめて貫通できる程度の大きさが適する。
【００１１】
粘着剤はフィルム１、まつ毛２が粘着し易い性質のものが好ましく、フィルム１、まつ毛２の材質に合わせて例えばポリウレタン系、アクリル系といった性質のものを選択するのが望ましい。
【００１２】
フィルム１の裏面の粘着剤６の外側には剥離シート７（図４）を貼ってある。剥離シート７は粘着剤６の乾燥、粘着剤６への塵芥の付着等を防止して粘着力の低下を防止するものである。剥離シート７には剥離し易く、粘着剤６が付着しにくい汎用の紙製のもの（汎用されている剥離紙）や、それら性質を備えた樹脂製のものを使用することができる。
【００１３】
フィルム１の裏面又は剥離シート７の表面には図２、図５のように切り取り線８を表示しておくと、まつ毛２と二重まぶた成形部３をフィルム１と共に切断するときに切り取りの目安になって便利である。切り取り線６は基本となる線（図２、図５に実線で示す）一本だけでなく、円弧状の湾曲カーブ、長さ等の異なる線（図２、図５に破線で示す）を数本表示しておくと、使用者のまぶたの形状に近い形状の切り取り線８に沿って切断することができて非常に便利である。
【００１４】
フィルム１は無色透明あるいは所望の着色のものとすることができる。無色透明のシートの場合は、裏面に粘着剤６が付着していると表面から透視したときに白濁しているように見えるが、剥離シート７を剥離してまぶたに貼り付けるとまぶたの皮膚になじんで前面が密着して透明になり見た目の違和感がない。着色フィルムを使用する場合はフィルムがアイラインの機能をも発揮できるので、多数の色を用意しておいてユーザーの選択の余地を広げておくのが顧客満足度を達成するには好ましい。
【００１５】
図２に示す付けまつ毛は一枚のフィルム１に一つの付けまつ毛が形成された場合であるが、付けまつ毛は図５に示すように大きな一枚のフィルム１に数個（図５では４個：左右の目用、２セット分）形成することができる。この場合は、個々の付けまつ毛を一つずつ切り離して使用する。本発明の付けまつ毛は図６に示すように形状の崩れにくいケース９に収容（セット）して販売することもできる。
【００１６】
図７（ａ）〜（ｆ）に本発明の付けまつ毛の他例を示す。この付けまつ毛はまつ毛２の本数を少なくし、隣接するまつ毛２の間のスペースを広くしたものである。本発明の付けまつ毛のまつ毛２の本数、長さ、間隔、色、等は、図示した以外にも、好みに応じて選択することができる。
【図面の簡単な説明】
【００１７】
【図１】（ａ）は本発明の付けまつ毛の一例を示す正面図、（ｂ）は（ａ）の矢視断面図。
【図２】本発明の付けまつ毛の切り取り前の一例を示す正面図。
【図３】（ａ）は付けまつ毛装着前の側面説明図、（ｂ）は本発明の付けまつ毛装着後の側面説明図。
【図４】本発明の付けまつ毛の植毛の一例を示す詳細断面図。
【図５】本発明の付けまつ毛が一枚のフィルムに４個植毛された状態の正面図。
【図６】本発明の付けまつ毛をケース内に収容した状態の説明図。
【図７】（ａ）は本発明の付けまつ毛の他例の正面図、（ｂ）は同付けまつ毛の背面図、（ｃ）は同付けまつ毛の平面図、（ｄ）は同付けまつ毛の底面図、（ｅ）は同付けまつ毛の右側面図、（ｆ）は同付けまつ毛の左側面図。
【図８】従来の付けまつ毛の一例を示す正面図。
【符号の説明】
【００１８】
１  フィルム
２  まつ毛
３  二重まぶた成形部
４  まぶた
５  微細孔
６  粘着剤
７  剥離シート
８  切り取り線
【図１】
2008308806.tif 000003
【図２】
2008308806.tif 000004
【図３】
2008308806.tif 000005
【図４】
2008308806.tif 000006
【図５】
2008308806.tif 000007
【図６】
2008308806.tif 000008
【図７】
2008308806.tif 000009
【図８】
2008308806.tif 000010
【手続補正書】
【提出日】平成20年1月22日(2008.1.22)
【手続補正１】
【補正対象書類名】特許請求の範囲
【補正対象項目名】全文
【補正方法】変更
【補正の内容】
【特許請求の範囲】
【請求項１】
まつ毛がまぶたに貼り付けることのできるフィルムにその裏面から表面に突出して植毛され、フィルムのまつ毛植毛部の上方に二重まぶた成形部があり、二重まぶた成形部はまぶたに貼り付けるとまぶたが二重まぶたになる縦幅と横幅であり、フィルム裏面にフィルムをまぶたに付着できる粘着剤が付着されたことを特徴とする付けまつ毛。
【請求項２】
まつ毛がまぶたに貼り付けることのできるフィルムに直に縫い付けにより植毛されてフィルムの表面に突出し、フィルムのまつ毛植毛部の上方に二重まぶた成形部があり、二重まぶた成形部はまぶたに貼り付けるとまぶたが二重まぶたになる縦幅と横幅であり、フィルム裏面にフィルムをまぶたに付着できる粘着剤が付着されたことを特徴とする付けまつ毛。
【請求項３】
請求項１又は請求項２記載の付けまつ毛において、フィルム裏面の粘着剤の裏側に剥離シートが貼り付けられていることを特徴とする付けまつ毛。
【請求項４】
請求項１乃至請求項３のいずれかに記載の付けまつ毛において、使用者のまぶたの形状に合わせて切断する切り取り線が、フィルム又は／及び剥離シートに表示され、その切り取り線はフィルムに植毛されたまつ毛の配列方向に沿って表示されていることを特徴とする付けまつ毛。
【請求項５】
請求項１乃至請求項４のいずれかに記載の付けまつ毛において、フィルムが無色透明又は着色されていることを特徴とする付けまつ毛。
【手続補正２】
【補正対象書類名】明細書
【補正対象項目名】全文
【補正方法】変更
【補正の内容】
【発明の詳細な説明】
【技術分野】
【０００１】
本発明は付けまつ毛に関し、まぶたに付着すると付けまつげ毛となり、まぶたが自動的に二重まぶたになるようにしたものである。
【背景技術】
【０００２】
従来の付けまつ毛は図８に示すように細長い太い糸状のベースＡに多数本のまつ毛Ｂが接着されたものが一般的である。
【発明の開示】
【発明が解決しようとする課題】
【０００３】
従来の付けまつ毛は熟練しないと装着しにくく、装着に時間がかかるとか、装着できても傾いたり、位置ずれしたりし易いという課題があった。
【課題を解決するための手段】
【０００４】
本発明の付けまつ毛はまぶたに手軽に装着でき、装着するとまぶたが自動的に二重まぶたになるようにしたものであり、そのため本発明では、まつ毛がまぶたに貼り付けることのできるフィルムにその裏面から表面に突出して植毛され、フィルムのまつ毛植毛部の上方に二重まぶた成形部があり、二重まぶた成形部はまぶたに貼り付けるとまぶたが二重まぶたになる縦幅と横幅であり、フィルム裏面にフィルムをまぶたに付着できる粘着剤が付着されたものである。まつ毛を前記フィルムに直に縫い付けて植毛することもできる。前記フィルム裏面の粘着剤の裏側に剥離シートを設けておき、その剥離シートを剥がすとそのまままぶたに貼ることができるようにした。切り取り線はフィルムに植毛されたまつ毛の配列方向に沿ってフィルム又は／及び剥離シートに表示してその切り取り線を目安にして使用者のまぶたの形状に近い形状に切断し易くした。フィルムを無色透明又は着色した。
【発明の効果】
【０００５】
本発明の付けまつ毛は次のような効果がある。
１．フィルムに二重まぶたを成形できる縦幅と横幅の二重まぶた成形部を設けたので、二重まぶた成形部をまぶたに貼り付けると、まぶたの貼り付け部分が窪んで自動的に二重まぶたなる。
２．二重まぶた成形部をまぶたに貼り付けるだけで付けまつ毛を装着できるので、装着が簡易である。
３．フィルムにまつ毛があるため、フィルムの二重まぶた成形部が不用意に曲がったり、へたったりしにくくなって形状が安定し、指先で持ちやすく、まつ毛の位置決め、貼り付けが容易になる。
４．フィルム裏面に粘着剤を付着させてあるので、別途接着剤を用意する必要がなく便利である。
５．粘着剤の裏側に剥離シートがあるため粘着剤に塵芥が蓋付着せず、粘着力も低下しにくくなり、剥離シートを剥がしてまぶたに確実に貼ることができ、貼り付け後は不用意に剥がれたり、皺が寄ったりし難く、長期間は貼り付け時の常態に保持できる。
６．フィルム又は剥離シートに切り取り線を表示してあるので、フィルム又は／及び剥離シートを切り取り線に沿って切断して使用者のまぶたの形状に合った形状にできるため貼り易く、貼り付け後の違和感がない。
７．フィルムが無色透明の場合は、フィルムをまぶたに貼り付けても目立たず、見た目の違和感がない。
８．フィルムが着色の場合は着色部分をアイラインとすることもできる。
【発明を実施するための最良の形態】
【０００６】
（実施形態１）
本発明の付けまつ毛の実施形態の一例を図面に基づいて説明する。図１に示した付けまつ毛は円弧状（三日月形）のフィルム１に天然の又は人工のまつ毛２が多数本植毛されている。
【０００７】
フィルム１はまぶたに貼っても違和感がない程度に薄いフィルム、例えば厚さ数ミクロン〜数十ミクロン程度のフィルム１が使用される。フィルム１のまつ毛植毛部の上部に二重まぶた成形部３が形成されている。二重まぶた成形部３は図３（ａ）のまぶた４に図３（ｂ）のように貼ることによりまぶた４が自動的に二重まぶたになる縦幅と横幅にしてある。二重まぶた成形部３の形状、縦幅と横幅寸法により二重まぶたの形状が変わる。縦幅を広くすると縦に広い二重まぶた、縦幅を狭く（細く）すると縦に狭い（細い）二重まぶたになり、横幅を長くすると横長の二重まぶた、短くすると横に短い二重まぶたになるため、各種形状、寸法の二重まぶた成形部３を用意してユーザーの要求に対応できるようにしておくのが望ましい。
【０００８】
フィルム１は多少伸縮性のあるものがまぶたになじみ易く使い勝手の面から好ましい。フィルム１は人の皮膚の構造、伸縮性、色、強度に近い材質のものが適し、例えば、ポリウレタンフィルムとか他の樹脂フィルムを使用することができる。フィルム１の強度は植毛のために毛を刺したり、植毛のための孔をあけたりしても変形したり破損したりしない機械的強度があり、粘着剤が付着しても変形、溶解などしない化学的強度のあるものがよい。
【０００９】
まつ毛２には天然の又は人工の毛が使用され、それがフィルム１の横幅方向に多数本植毛されている。多数本のまつ毛２はフィルム１の横幅方向両端側を短く、中央部分を長くし、先端側を上向きに湾曲（カール）させてある。まつ毛２はそのカール形状が長期間保持されるように加工、処理しておくのがよい。フィルム１に植毛するまつ毛２は太さ、長さ、硬さ（剛性）、カールの度合い、植毛本数、間隔等の異なるものを各種用意しておくのがよい。これらは女性用、男性用、子供用、年配者用といったように各種用意することもできる。まつ毛２は人工繊維を使用する場合は加工した形状を保持しやすい材質、たとえば、ポリエステル繊維、アクリル繊維とか他の材質のものを使用することができる。
【００１０】
フィルム１へのまつ毛２の植毛方法は接着剤による植毛、縫い付けによる植毛等の任意手段とすることができる。縫い付け植毛の一例としては図４に示すようにフィルム１の植毛位置に予め微細孔５をあけておき、その微細孔５にフィルム１の表面から裏面にまつ毛２を貫通させ、そのまつ毛２を裏面から表面に引き出してフィルム１の表面に突出させるとか、２つ折りのまつ毛２を微細孔５にフィルム１の裏面から表面に向けて差し込んで表面に突出させ、そのまつ毛２をフィルム１の裏側に粘着剤や接着剤（以下これらを「粘着剤」という。）６（図４）で固定する方法がある。微細孔５の数、間隔、径等は植毛本数、植毛間隔、まつ毛の太さに合わせて選択する。微細孔５の寸法はまつ毛２を一本ずつ、或いは数本まとめて貫通できる程度の大きさが適する。
【００１１】
粘着剤はフィルム１、まつ毛２が粘着し易い性質のものが好ましく、フィルム１、まつ毛２の材質に合わせて例えばポリウレタン系、アクリル系といった性質のものを選択するのが望ましい。
【００１２】
フィルム１の裏面の粘着剤６の外側には剥離シート７（図４）を貼ってある。剥離シート７は粘着剤６の乾燥、粘着剤６への塵芥の付着等を防止して粘着力の低下を防止するものである。剥離シート７には剥離し易く、粘着剤６が付着しにくい汎用の紙製のもの（汎用されている剥離紙）や、それら性質を備えた樹脂製のものを使用することができる。
【００１３】
フィルム１の裏面又は剥離シート７の表面には図２、図５のように切り取り線８を表示しておくと、まつ毛２と二重まぶた成形部３をフィルム１と共に切断するときに切り取りの目安になって便利である。切り取り線６は基本となる線（図２、図５に実線で示す）一本だけでなく、円弧状の湾曲カーブ、長さ等の異なる線（図２、図５に破線で示す）を数本表示しておくと、使用者のまぶたの形状に近い形状の切り取り線８に沿って切断することができて非常に便利である。
【００１４】
フィルム１は無色透明あるいは所望の着色のものとすることができる。無色透明のシートの場合は、裏面に粘着剤６が付着していると表面から透視したときに白濁しているように見えるが、剥離シート７を剥離してまぶたに貼り付けるとまぶたの皮膚になじんで前面が密着して透明になり見た目の違和感がない。着色フィルムを使用する場合はフィルムがアイラインの機能をも発揮できるので、多数の色を用意しておいてユーザーの選択の余地を広げておくのが顧客満足度を達成するには好ましい。
【００１５】
図２に示す付けまつ毛は一枚のフィルム１に一つの付けまつ毛が形成された場合であるが、付けまつ毛は図５に示すように大きな一枚のフィルム１に数個（図５では４個：左右の目用、２セット分）形成することができる。この場合は、個々の付けまつ毛を一つずつ切り離して使用する。本発明の付けまつ毛は図６に示すように形状の崩れにくいケース９に収容（セット）して販売することもできる。
【００１６】
図７（ａ）〜（ｆ）に本発明の付けまつ毛の他例を示す。この付けまつ毛はまつ毛２の本数を少なくし、隣接するまつ毛２の間のスペースを広くしたものである。本発明の付けまつ毛のまつ毛２の本数、長さ、間隔、色、等は、図示した以外にも、好みに応じて選択することができる。
【図面の簡単な説明】
【００１７】
【図１】（ａ）は本発明の付けまつ毛の一例を示す正面図、（ｂ）は（ａ）の矢視断面図。
【図２】本発明の付けまつ毛の切り取り前の一例を示す正面図。
【図３】（ａ）は付けまつ毛装着前の側面説明図、（ｂ）は本発明の付けまつ毛装着後の側面説明図。
【図４】本発明の付けまつ毛の植毛の一例を示す詳細断面図。
【図５】本発明の付けまつ毛が一枚のフィルムに４個植毛された状態の正面図。
【図６】本発明の付けまつ毛をケース内に収容した状態の説明図。
【図７】（ａ）は本発明の付けまつ毛の他例の正面図、（ｂ）は同付けまつ毛の背面図、（ｃ）は同付けまつ毛の平面図、（ｄ）は同付けまつ毛の底面図、（ｅ）は同付けまつ毛の右側面図、（ｆ）は同付けまつ毛の左側面図。
【図８】従来の付けまつ毛の一例を示す正面図。
【符号の説明】
【００１８】
１  フィルム
２  まつ毛
３  二重まぶた成形部
４  まぶた
５  微細孔
６  粘着剤
７  剥離シート
８  切り取り線
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
着色された又は着色されていないまつ毛が、まぶたに貼り付けることのできるフィルムに直に縫い付けられて又は接着剤で接着されてフィルムの裏面から表面に突出して植毛され、二重まぶた成形部が前記フィルムのまつ毛植毛部の上に形成され、二重まぶた成形部はまぶたに貼り付けるとまぶたが二重まぶたになる縦幅と横幅であり、まつ毛は太さ又は／及び長さが同じもの又は異なるものが前記二重まぶた成形部の横方向に並べて配列され、前記フィルムをまぶたに付着できる粘着剤がフィルムの裏面に付着され、剥離シートが前記粘着剤の裏側に貼り付けられており、フィルムは無色透明であるか又は着色されているか又はアイラインが表示されていることを特徴とする二重まぶた成形フィルム付き付けまつ毛。
【請求項２】
請求項１記載の二重まぶた成形フィルム付き付けまつ毛において、まつ毛が二重まぶた成形部の横方向に一列に並べて配列されていることを特徴とする二重まぶた成形フィルム付き付けまつ毛。
【請求項３】
請求項１又は請求項２記載の二重まぶた成形フィルム付き付けまつ毛において、まつ毛が上向きにカールしたことを特徴とする二重まぶた成形フィルム付き付けまつ毛。
【請求項４】
請求項１乃至請求項３のいずれかに記載の二重まぶた成形フィルム付き付けまつ毛において、二重まぶた成形部は横細長円弧状であることを特徴とする二重まぶた成形フィルム付き付けまつ毛。
【請求項５】
請求項１乃至請求項４のいずれかに記載の二重まぶた成形フィルム付き付けまつ毛において、使用者のまぶたの形状に合せて切断する切り取り線がフィルム又は／及び剥離シートに表示され、その切り取り線はフィルムに植毛されたまつ毛の配列方向に沿って表示されたことを特徴とする二重まぶた成形フィルム付き付けまつ毛。
【手続補正２】
【補正対象書類名】明細書
【補正対象項目名】全文
【補正方法】変更
【補正の内容】
【発明の詳細な説明】
【技術分野】
【０００１】
本発明は二重まぶた成形フィルム付き付けまつ毛に関し、まぶたに付着すると付けまつげ毛となり、まぶたが自動的に二重まぶたになるようにしたものである。
【背景技術】
【０００２】
従来の付けまつ毛は図８に示すように細長い太い糸状のベースＡに多数本のまつ毛Ｂが接着されたものが一般的である。
【発明の開示】
【発明が解決しようとする課題】
【０００３】
従来の付けまつ毛は熟練しないと装着しにくく、装着に時間がかかるとか、装着できても傾いたり、位置ずれしたりし易いという課題があった。
【課題を解決するための手段】
【０００４】
本発明の二重まぶた成形フィルム付き付けまつ毛は、まぶたに手軽に装着でき、装着するとまぶたが自動的に二重まぶたになるようにしたものであり、そのため本発明では、まつ毛がまぶたに貼り付けることのできるフィルムにその裏面側から表面に突出して植毛され、フィルムのまつ毛植毛部の上方に二重まぶた成形部があり、二重まぶた成形部はまぶたに貼り付けるとまぶたが二重まぶたになる縦幅と横幅であり、フィルム裏面にフィルムをまぶたに付着できる粘着剤を付着されたものである。まつ毛を前記フィルムに直に縫い付けて植毛することもできる。前記フィルム裏面の粘着剤の裏側に剥離シートを設けておき、その剥離シートを剥がすとそのまままぶたに貼ることができるようにした。切り取り線はフィルムに植毛されたまつ毛の配列方向に沿ってフィルム又は／及び剥離シートに表示してその切り取り線を目安にして使用者のまぶたの形状に近い形状に切断し易くした。フィルムを無色透明又は着色した。
【発明の効果】
【０００５】
本発明の二重まぶた成形フィルム付き付けまつ毛は次のような効果がある。
１．フィルムに二重まぶたを成形できる縦幅と横幅の二重まぶた成形部を設けたので、二重まぶた成形部をまぶたに貼り付けると、まぶたの貼り付け部分が窪んで自動的に二重まぶたなる。
２．二重まぶた成形部をまぶたに貼り付けるだけで付けまつ毛を装着できるので、装着が簡易である。
３．フィルムにまつ毛があるため、フィルムの二重まぶた成形部が不用意に曲がったり、へたったりしにくくなって形状が安定し、指先で持ちやすく、まつ毛の位置決め、貼り付けが容易になる。
４．フィルム裏面に粘着剤を付着させてあるので、別途接着剤を用意する必要がなく便利である。
５．粘着剤の裏側に剥離シートがあるため粘着剤に塵芥が蓋付着せず、粘着力も低下しにくくなり、剥離シートを剥がしてまぶたに確実に貼ることができ、貼り付け後は不用意に剥がれたり、皺が寄ったりし難く、長期間は貼り付け時の常態に保持できる。
６．フィルム又は剥離シートに切り取り線を表示してあるので、フィルム又は／及び剥離シートを切り取り線に沿って切断して使用者のまぶたの形状に合った形状にできるため貼り易く、貼り付け後の違和感がない。
７．フィルムが無色透明の場合は、フィルムをまぶたに貼り付けても目立たず、見た目の違和感がない。
８．フィルムが着色の場合は着色部分をアイラインとすることもできる。
【発明を実施するための最良の形態】
【０００６】
（実施形態１）
本発明の二重まぶた成形フィルム付き付けまつ毛の実施形態の一例を図面に基づいて説明する。図１に示した付けまつ毛は円弧状（三日月形）のフィルム１に天然の又は人工のまつ毛２が多数本植毛されている。
【０００７】
フィルム１はまぶたに貼っても違和感がない程度に薄いフィルム、例えば厚さ数ミクロン〜数十ミクロン程度のフィルム１が使用される。フィルム１のまつ毛植毛部の上部に二重まぶた成形部３が形成されている。二重まぶた成形部３は図３（ａ）のまぶた４に図３（ｂ）のように貼ることによりまぶた４が自動的に二重まぶたになる縦幅と横幅にしてある。二重まぶた成形部３の形状、縦幅と横幅寸法により二重まぶたの形状が変わる。縦幅を広くすると縦に広い二重まぶた、縦幅を狭く（細く）すると縦に狭い（細い）二重まぶたになり、横幅を長くすると横長の二重まぶた、短くすると横に短い二重まぶたになるため、各種形状、寸法の二重まぶた成形部３を用意してユーザーの要求に対応できるようにしておくのが望ましい。
【０００８】
フィルム１は多少伸縮性のあるものがまぶたになじみ易く使い勝手の面から好ましい。フィルム１は人の皮膚の構造、伸縮性、色、強度に近い材質のものが適し、例えば、ポリウレタンフィルムとか他の樹脂フィルムを使用することができる。フィルム１の強度は植毛のために毛を刺したり、植毛のための孔をあけたりしても変形したり破損したりしない機械的強度があり、粘着剤が付着しても変形、溶解などしない化学的強度のあるものがよい。
【０００９】
まつ毛２には天然の又は人工の毛が使用され、それがフィルム１の横幅方向に多数本植毛されている。多数本のまつ毛２はフィルム１の横幅方向両端側を短く、中央部分を長くし、先端側を上向きに湾曲（カール）させてある。まつ毛２はそのカール形状が長期間保持されるように加工、処理しておくのがよい。フィルム１に植毛するまつ毛２は太さ、長さ、硬さ（剛性）、カールの度合い、植毛本数、間隔等の異なるものを各種用意しておくのがよい。これらは女性用、男性用、子供用、年配者用といったように各種用意することもできる。まつ毛２は人工繊維を使用する場合は加工した形状を保持しやすい材質、たとえば、ポリエステル繊維、アクリル繊維とか他の材質のものを使用することができる。
【００１０】
フィルム１へのまつ毛２の植毛方法は接着剤による植毛、縫い付けによる植毛等の任意手段とすることができる。縫い付け植毛の一例としては図４に示すようにフィルム１の植毛位置に予め微細孔５をあけておき、その微細孔５にフィルム１の表面から裏面にまつ毛２を貫通させ、そのまつ毛２を裏面から表面に引き出してフィルム１の表面に突出させるとか、２つ折りのまつ毛２を微細孔５にフィルム１の裏面から表面に向けて差し込んで表面に突出させ、そのまつ毛２をフィルム１の裏側に粘着剤や接着剤（以下これらを「粘着剤」という。）６（図４）で固定する方法がある。微細孔５の数、間隔、径等は植毛本数、植毛間隔、まつ毛の太さに合わせて選択する。微細孔５の寸法はまつ毛２を一本ずつ、或いは数本まとめて貫通できる程度の大きさが適する。
【００１１】
粘着剤はフィルム１、まつ毛２が粘着し易い性質のものが好ましく、フィルム１、まつ毛２の材質に合わせて例えばポリウレタン系、アクリル系といった性質のものを選択するのが望ましい。
【００１２】
フィルム１の裏面の粘着剤６の外側には剥離シート７（図４）を貼ってある。剥離シート７は粘着剤６の乾燥、粘着剤６への塵芥の付着等を防止して粘着力の低下を防止するものである。剥離シート７には剥離し易く、粘着剤６が付着しにくい汎用の紙製のもの（汎用されている剥離紙）や、それら性質を備えた樹脂製のものを使用することができる。
【００１３】
フィルム１の裏面又は剥離シート７の表面には図２、図５のように切り取り線８を表示しておくと、まつ毛２と二重まぶた成形部３をフィルム１と共に切断するときに切り取りの目安になって便利である。切り取り線６は基本となる線（図２、図５に実線で示す）一本だけでなく、円弧状の湾曲カーブ、長さ等の異なる線（図２、図５に破線で示す）を数本表示しておくと、使用者のまぶたの形状に近い形状の切り取り線８に沿って切断することができて非常に便利である。
【００１４】
フィルム１は無色透明あるいは所望の着色のものとすることができる。無色透明のシートの場合は、裏面に粘着剤６が付着していると表面から透視したときに白濁しているように見えるが、剥離シート７を剥離してまぶたに貼り付けるとまぶたの皮膚になじんで前面が密着して透明になり見た目の違和感がない。着色フィルムを使用する場合はフィルムがアイラインの機能をも発揮できるので、多数の色を用意しておいてユーザーの選択の余地を広げておくのが顧客満足度を達成するには好ましい。
【００１５】
図２に示す二重まぶた成形フィルム付き付けまつ毛は一枚のフィルム１に一つの二重まぶた成形フィルム付き付けまつ毛が形成された場合であるが、二重まぶた成形フィルム付き付けまつ毛は図５に示すように大きな一枚のフィルム１に数個（図５では４個：左右の目用、２セット分）形成することができる。この場合は、個々の二重まぶた成形フィルム付き付けまつ毛を一つずつ切り離して使用する。本発明の二重まぶた成形フィルム付き付けまつ毛は図６に示すように形状の崩れにくいケース９に収容（セット）して販売することもできる。
【００１６】
図７（ａ）〜（ｆ）に本発明の二重まぶた成形フィルム付き付けまつ毛の他例を示す。この付けまつ毛はまつ毛２の本数を少なくし、隣接するまつ毛２の間のスペースを広くしたものである。本発明の二重まぶた成形フィルム付き付けまつ毛のまつ毛２の本数、長さ、間隔、色、等は、図示した以外にも、好みに応じて選択することができる。
【図面の簡単な説明】
【００１７】
【図１】（ａ）は本発明の二重まぶた成形フィルム付き付けまつ毛の一例を示す正面図、（ｂ）は（ａ）の矢視断面図。
【図２】本発明の二重まぶた成形フィルム付き付けまつ毛の切り取り前の一例を示す正面図。
【図３】（ａ）は二重まぶた成形フィルム付き付けまつ毛装着前の側面説明図、（ｂ）は本発明の二重まぶた成形フィルム付き付けまつ毛装着後の側面説明図。
【図４】本発明の二重まぶた成形フィルム付き付けまつ毛の植毛の一例を示す詳細断面図。
【図５】本発明の二重まぶた成形フィルム付き付けまつ毛が一枚のフィルムに４個植毛された状態の正面図。
【図６】本発明の二重まぶた成形フィルム付き付けまつ毛をケース内に収容した状態の説明図。
【図７】（ａ）は本発明の二重まぶた成形フィルム付き付けまつ毛の他例の正面図、（ｂ）は同付けまつ毛の背面図、（ｃ）は同付けまつ毛の平面図、（ｄ）は同付けまつ毛の底面図、（ｅ）は同付けまつ毛の右側面図、（ｆ）は同付けまつ毛の左側面図。
【図８】従来の付けまつ毛の一例を示す正面図。
【符号の説明】
【００１８】
１  フィルム
２  まつ毛
３  二重まぶた成形部
４  まぶた
５  微細孔
６  粘着剤
７  剥離シート
８  切り取り線